(57)【要約】      （修正有）【課題】連結部材の大型化を抑制しながら、連結部材とパネル体とを強固に連結するとともに、張地の剥がれを防止することができる、パネル基材が張地で覆われてなるパネル体の側端凹溝に連結部材が嵌め込まれて複数のパネル体が連結される間仕切装置を提供する。【解決手段】間仕切装置は、側端部に上下方向に延びる側端凹溝４２を有するパネル基材４が張地８で覆われてなるパネル体と、側端凹溝４２に嵌め込まれて複数のパネル体を連結する連結部材３とを備えている。パネル体は、側端凹溝４２の底部の幅方向中央部に形成された連結部材当接部４７ａと、側端凹溝４２の底部の幅方向端部にパネル基材４の内方に向けて形成された凹溝状の張地収納部４７ｂとを備えている。張地８の側端外周端部８ｂが側端凹溝４２の内側に巻き込まれて張地収納部４７ｂに収納されている。【選択図】図４
2020041339.tif 000002
【特許請求の範囲】
【請求項１】
側端部に上下方向に延びる側端凹溝を有するパネル基材が張地で覆われてなるパネル体と、前記側端凹溝に嵌め込まれて複数の前記パネル体を連結する連結部材とを備えた間仕切装置であって、
前記パネル体は、前記側端凹溝の底部の幅方向中央部に形成された連結部材当接部と、前記側端凹溝の底部の幅方向端部に前記パネル基材の内方に向けて形成された凹溝状の張地収納部とを備え、前記張地の外周端部が前記側端凹溝の内側に巻き込まれて前記張地収納部に収納されている、間仕切装置。
【請求項２】
前記パネル基材は、前記側端部を構成する一対の縦枠と、前記一対の縦枠の上下端部同士を連結する上下の横枠とを備え、前記縦枠の外側面に前記側端凹溝が形成されており、
前記縦枠は、前記側端凹溝の底部に設けられた第１ねじ取付部と、前記側端凹溝から遠ざかる方向へ前記第１ねじ取付部とは離間して設けられた第２ねじ取付部とを備え、
前記第１ねじ取付部と前記第２ねじ取付部に上下方向からねじ込まれる第１ねじと第２ねじで前記縦枠と前記横枠とが連結される、請求項１に記載の間仕切装置。
【請求項３】
前記側端凹溝の内部に取り付けられる係合突起部材が前記連結部材に設けられた係合穴に係合することで前記パネル体と前記連結部材とが連結される構成であって、
前記係合突起部材は、前記側端凹溝の底部に形成された上下方向に延びる係合突起部材取付溝に嵌め込まれた状態でねじ止めされることで、回転不能に固着されている、請求項１又は２に記載の間仕切装置。
【発明の詳細な説明】
【技術分野】
【０００１】
本発明は、間仕切装置に関するものである。
【背景技術】
【０００２】
オフィス等の空間において、空間利用の自由度を高めるために、パネル体を立設した間仕切装置を設けることが広く行われている。間仕切装置を設けることで、周囲からの視線や音をある程度遮ることができる。
【０００３】
このような間仕切装置において、クロス貼りのパネル体の側端部に上下方向に延びる側端凹溝（連結溝）を設け、その側端凹溝に連結部材を嵌め込んで複数のパネル体を連結可能な構成が知られている（例えば特許文献１を参照）。特許文献１に開示された間仕切装置では、側端凹溝の底部の上下複数個所にフックを取り付け、側端凹溝内に嵌め込まれる連結部材の側面にフックを嵌合係止することで、パネル体と連結部材とを連結している。また、パネル体では、クロスの外周端部が側端凹溝の内側に巻き込まれて、見栄えを良くするとともに、クロスの剥がれを防止している。
【先行技術文献】
【特許文献】
【０００４】
【特許文献１】実公平８−４０５号公報
【発明の概要】
【発明が解決しようとする課題】
【０００５】
特許文献１に開示された間仕切装置では、連結部材は、パネル体の側端凹溝の底部とは離間して配置されている。このような連結構造に対して、連結強度を向上させるには、連結部材の側面を側端凹溝の底部に当接させることが好ましい。この場合、連結部材側面が側端凹溝底部に当接するように、連結部材のサイズを大きくすると、連結部材の重さ及び製造コストが上昇するという問題があった。また、連結部材側面が側端凹溝底部に当接するように、側端凹溝の溝深さを浅くすると、側端凹溝内に巻き込まれるクロス等の張地の巻込み長さが短くなり、張地の剥がれが生じやすくなるという問題があった。
【０００６】
本願発明は、このような現状を改善すべく成されたものである。
【課題を解決するための手段】
【０００７】
本発明の間仕切装置は、側端部に上下方向に延びる側端凹溝を有するパネル基材が張地で覆われてなるパネル体と、前記側端凹溝に嵌め込まれて複数の前記パネル体を連結する連結部材とを備えた間仕切装置であって、前記パネル体は、前記側端凹溝の底部の幅方向中央部に形成された連結部材当接部と、前記側端凹溝の底部の幅方向端部に前記パネル基材の内方に向けて形成された凹溝状の張地収納部とを備え、前記張地の外周端部が前記側端凹溝の内側に巻き込まれて前記張地収納部に収納されているものである。
【０００８】
本発明の間仕切装置によれば、連結部材を側端凹溝底部の連結部材当接部に当接させることで連結部材とパネル体とを強固に連結できる。さらに、側端凹溝内に巻き込まれる張地の外周端部を連結部材当接部よりもパネル基材内方に形成された凹溝状の張地収納部に収納することで、側端凹溝の開口から連結部材当接部までの距離を必要以上に大きくしなくても、張地の巻込み長さを確保できる。これにより、連結部材の大型化を抑制しながら、張地の剥がれを防止できる。
【０００９】
本発明の間仕切装置において、前記パネル基材は、前記側端部を構成する一対の縦枠と、前記一対の縦枠の上下端部同士を連結する上下の横枠とを備え、前記縦枠の外側面に前記側端凹溝が形成されており、前記縦枠は、前記側端凹溝の底部に設けられた第１ねじ取付部と、前記側端凹溝から遠ざかる方向へ前記第１ねじ取付部とは離間して設けられた第２ねじ取付部とを備え、前記第１ねじ取付部と前記第２ねじ取付部に上下方向からねじ込まれる第１ねじと第２ねじで前記縦枠と前記横枠とが連結されるようにしてもよい。
【００１０】
このような態様によれば、側端凹溝の底部に第１ねじ取付部を設けることで、縦枠のうち、側端凹溝への連結部材の嵌め込みを阻害しない位置で且つパネル基材側端部寄りの位置に第１ねじ取付部を配置でき、縦枠の大型化を抑制しながら、第１ねじ取付部と第２ねじ取付部との間の距離を確保して縦枠と横枠との連結を強固にできる。
【００１１】
また、本発明の間仕切装置において、前記側端凹溝の内部に取り付けられる係合突起部材が前記連結部材に設けられた係合穴に係合することで前記パネル体と前記連結部材とが連結される構成であって、前記係合突起部材は、前記側端凹溝の底部に形成された上下方向に延びる係合突起部材取付溝に嵌め込まれた状態でねじ止めされることで、回転不能に固着されているようにしてもよい。
【００１２】
このような態様によれば、部品点数が少ない簡単な構造で、係合突起部材を側端凹溝の底部に回転不能に取り付けることができるので、パネル体と連結部材との確実な連結を確保しながら、製造コストを低減できる。
【発明の効果】
【００１３】
本発明の間仕切装置は、連結部材を側端凹溝底部の連結部材当接部に当接させることで連結部材とパネル体とを強固に連結できるとともに、連結部材の大型化を抑制しながら、張地の剥がれを防止できる。
【図面の簡単な説明】
【００１４】
【図１】実施形態の間仕切装置の設置状態を示す斜視図である。
【図２】パネル体の連結箇所上部を拡大して示す斜視図である。
【図３】パネル体の構成を示す展開斜視図である。
【図４】パネル体の一側端部の横断面図である。
【図５】パネル体と連結支柱との連結箇所上部の構造を説明するための斜視図である。
【図６】パネル体と連結支柱との連結構造を説明するための縦断面図である。
【発明を実施するための形態】
【００１５】
本願発明の実施形態について図面に基づいて説明する。なお、以下の説明で、各方向を特定するため、前後・左右の文言を使用するが、パネル体の厚み方向を前後方向とし、これと直交した方向（パネル体の幅方向）を左右方向と定義している。
【００１６】
図１は、一実施形態の間仕切装置１の設置状態を示す斜視図である。図２は、パネル体２の連結箇所上部を拡大して示す斜視図である。図３は、パネル体２の構成を示す展開斜視図である。図４は、パネル体２の一側端部の横断面図である。図５は、パネル体２と連結支柱３との連結箇所上部の構造を説明するための斜視図である。図６は、パネル体と連結支柱との連結箇所の構造を説明するための縦断面図である。
【００１７】
図１に示すように、間仕切装置１は、その大部分を構成するパネル体２と、パネル体２の側端部に連結される連結部材としての連結支柱３とを備えている。パネル体２は、パネル基材４と、パネル基材４を覆う基材張地８と、パネル基材４の上端部に沿って形成された上端凹溝４１に装着した笠木５を備えている。パネル基材４の側端部には、上下方向に延びる側端凹溝４２が形成されている。
【００１８】
連結支柱３は、上下方向に延びる角管の形態を有し、パネル基材４の側端凹溝４２に嵌合係止されて、複数のパネル体２を連結可能に構成されている。隣り合うパネル体２の上端部同士は、上端凹溝４１底部の左右端部（長さ方向端部）に取り付けられる上部連結プレート７によって連結される。連結支柱３の下端部には床面に設置されるアジャスター６が取り付けられている。
【００１９】
なお、図１の間仕切装置１では、便宜的にパネル体２を平面視で直線状に連結しているが、複数のパネル体２を十字状、Ｔ字状、Ｙ字状に連結することもできる。
【００２０】
図３にも示すように、パネル体２は、芯材４３、表面材４４及び枠体４５で構成されるパネル基材４と、パネル基材４の両面を覆うクロス等の基材張地８と、パネル基材４の上端部に取り付けられる笠木５とを備えている。パネル基材４は、ハニカム構造等の芯材４３の表裏両面に厚紙等の表面材４４を貼ったサンドイッチ構造を有する。芯材４３の外周部は枠体４５で囲まれており、表面材４４は、芯材４３及び枠体４５の両面を覆うように設けられている。
【００２１】
パネル基材４の表面は、クロス等の基材張地８で覆われている。基材張地８の上端外周端部８ａは上端凹溝４１の内側に巻き込まれ、側端外周端部８ｂは側端凹溝４２の内側に巻き込まれ（図４も参照）、下端外周端部８ｃは後述する下枠４８Ｌの内側に巻き込まれている。
【００２２】
四角枠状の枠体４５は、パネル基材４の側端部を構成する一対の縦枠４７，４７と、縦枠４７，４７の上下端部同士を連結する上下の横枠を構成する上枠４８Ｕ及び下枠４８Ｌとを備えている。縦枠４７の外側面に側端凹溝４２が形成されており、上枠４８Ｕの上面に上端凹溝４１が形成されている。
【００２３】
図４から図６に示すように、縦枠４７は、軽金属又は樹脂等を素材にした押出し加工品で中空状に形成されている。そして、縦枠４７は、パネル基材４の側端部を構成する外側面に、上下方向に延びる側端凹溝４２を備えている。側端凹溝４２は、略角管状の縦枠ベース部４７ｈから縦枠４７パネル基材４の外方へ向けて突出する前後一対の凹溝側壁部４７ｆの間の空間で形成される。
【００２４】
縦枠４７の縦枠ベース部４７ｈの一辺は、側端凹溝４２の底部４２ａを形成しており、当該底部４２ａには、幅方向中央部に設けられた連結部材当接部４７ａと、幅方向両端部に連結部材当接部４７ａを挟んで設けられた前後の張地収納部４７ｂ，４７ｂが形成されている。張地収納部４７ｂには、側端凹溝４２の内側に巻き込まれた基材張地８の側端外周端部８ｂが収納されている。また、側端凹溝４２の底部４２ａには、連結部材当接部４７ａよりも狭い幅で幅方向中央部に形成されて上下方向に延びる係合突起部材取付溝４７ｅが形成されている。
【００２５】
縦枠４７は、上下方向に延びる中空溝条の形態を有する第１ねじ取付部４７ｃと第２ねじ取付部４７ｄが形成されている。第１ねじ取付部４７ｃは、側端凹溝４２の底部４２ａの幅方向中央部にパネル基材４の内側へ向けて突設されている。第２ねじ取付部４７ｄは、底部４２ａに対向する縦枠ベース部４７ｈの辺に設けられており、第１ねじ取付部４７ｃとは側端凹溝４２から遠ざかる方向へ離間して設けられている。
【００２６】
上枠４８Ｕ及び下枠４８Ｌは、軽金属又は樹脂等を素材にした押出し加工品からなり、上枠４８Ｕは上向き開口を有する断面略Ｃ字状の形態を有し、下枠４８Ｌは下向き開口を有する断面略Ｃ字状の形態を有する。そして、第１ねじ取付部４７ｃと第２ねじ取付部４７ｄに上下方向からねじ込まれる第１ねじ６１と第２ねじ６２とで、縦枠４７と上枠４８Ｕ及び下枠４８Ｌとが連結される。
【００２７】
より具体的には、上枠４８Ｕ底部の長手方向両端部に設けられた第１ねじ挿通穴４８Ｕａと第２ねじ挿通穴４８Ｕｂを介して第１ねじ取付部４７ｃと第２ねじ取付部４７ｄに上方からねじ込まれる第１ねじ６１と第２ねじ６２とで、縦枠４７の上端部と上枠４８Ｕ底部の長手方向端部とが連結される。また、下枠４８Ｌ天面部の長手方向両端部に設けられた第１ねじ挿通穴４８Ｌａと第２ねじ挿通穴４８Ｌｂを介して第１ねじ取付部４７ｃと第２ねじ取付部４７ｄに下方からねじ込まれる第１ねじ６１と第２ねじ６２とで、縦枠４７の下端部と下枠４８Ｌ天面部の長手方向端部とが連結される。
【００２８】
なお、上枠４８Ｕの長さ方向端部には、金属製又は樹脂製の前後一対の上コーナー部材４９が連結されている。上コーナー部材４９は、縦枠４７と上枠４８Ｕ及び下枠４８Ｌとを連結して枠体４５を組み上げた状態で、枠体４５の上角部を形成する。
【００２９】
また、図１〜図６に示すように、間仕切装置１では、パネル体２の側端凹溝４２の内部に取り付けられる係合突起部材５０が、連結支柱３に設けられた係合穴３ａに係合することで、パネル体２と連結支柱３とが連結される。本実施形態では、係合突起部材５０は、例えば樹脂製であり、側端凹溝４２内の上下３箇所に設けられている。また、連結支柱３は、角管状の形態を有し、対向する一対の側面部に、上下３箇所に設けられた係合穴３ａを備えている。
【００３０】
各係合突起部材５０は、側端凹溝４２の底部４２ａの係合突起部材取付溝４７ｅに嵌め込まれた状態で、係合突起部材取付溝４７ｅに形成されたねじ取付穴４７ｇに左右外方からねじ込まれる１本の突起部材固定用ねじ６３でねじ止めされることで、回転不能に固着されている。
【００３１】
パネル体２と連結支柱３との連結時には、係合突起部材５０を連結支柱３の係合穴３ａ内に嵌め込んだ後、パネル体２を下方へ移動させる。これにより、係合突起部材５０の下部に設けられた係合凹部５０ａが連結支柱３の係合穴３ａの下部に係合するとともに、連結支柱３の側面が側端凹溝４２内の連結部材当接部４７ａに当接して、パネル体２が連結支柱３に支持される。
【００３２】
また、図５及び図６に示すように、パネル体２と連結支柱３とが連結された後、隣り合うパネル基材４の上部同士が、上部連結プレート７にて連結される。上部連結プレート７は、パネル基材４の上端凹溝４１底部の左右端部（長さ方向端部）に取り付けられる。上部連結プレート７は、長さ方向中央寄り部位に設けられた左右の第１ねじ頭部収容穴７ａと、長さ方向両端部に設けられた左右の第２ねじ挿通穴７ｂとを備えている。
【００３３】
上部連結プレート７をパネル基材４に取り付ける際には、まず、組み上げられたパネル体２のパネル基材４から笠木５を取り外し、さらに第２ねじ６２を取り外す。このとき、縦枠４７と上枠４８Ｕは、上枠４８Ｕに設けられた第１ねじ挿通穴４８Ｕａに上方から挿通されて縦枠４７の第１ねじ取付部４７ｃに捩じ込まれた第１ねじ６１で連結されている。
【００３４】
第２ねじ６２を取り外した状態で、上部連結プレート７の一端部側を上枠４８Ｕの上端凹溝４１の長さ方向端部上に配置する。上部連結プレート７は、第１ねじ頭部収容穴７ａと第１ねじ６１頭部とが位置合わせされるとともに、第２ねじ挿通穴７ｂが上枠４８Ｕの第２ねじ挿通穴４８Ｕｂに位置合わせされる。そして、先に取り外した第２ねじ６２を第２ねじ挿通穴７ｂと第２ねじ挿通穴４８Ｕｂに上方から挿通して、縦枠４７の第２ねじ取付部４７ｄに捩じ込むことで、上部連結プレート７と上枠４８Ｕとが縦枠４７に共締めさる。これにより、上部連結プレート７の一端部がパネル基材４の上角部に固着される。
【００３５】
なお、図５では、便宜上、パネル基材４の縦枠４７と上枠４８Ｕ及び係合突起部材５０とを分離して図示するとともに、芯材４３、表面材４４及び基材張地８の図示は省略されている。そして、パネル基材４に上部連結プレート７を連結する際には、パネル基材４は、図１及び図２に示すように、組み上げられた状態になっている。
【００３６】
以上のように、本実施形態の間仕切装置１は、側端部に上下方向に延びる側端凹溝４２を有するパネル基材４が張地８で覆われてなるパネル体２と、側端凹溝４２に嵌め込まれて複数のパネル体２を連結する連結部材としての連結支柱３とを備えている。パネル体２は、側端凹溝４２の底部４２ａの幅方向中央部に形成された連結部材当接部４７ａと、側端凹溝４２の底部４２ａの幅方向端部にパネル基材４の内方に向けて形成された凹溝状の張地収納部４７ｂとを備えている。そして、基材張地８の外周端部８ｂが側端凹溝４２の内側に巻き込まれて張地収納部４７ｂに収納されている。
【００３７】
間仕切装置１によれば、連結支柱３を側端凹溝４２の底部４２ａの連結部材当接部４７ａに当接させることで連結支柱３とパネル体２とを強固に連結できる。さらに、側端凹溝４２内に巻き込まれる張地８の外周端部８ｂを連結部材当接部４７ａよりもパネル基材４内方に形成された張地収納部４７ｂに収納することで、側端凹溝４２の開口から連結部材当接部４７ａまでの距離を必要以上に大きくしなくても、張地８の巻込み長さを確保できる。これにより、連結支柱３の大型化を抑制しながら、張地８の剥がれを防止できる。
【００３８】
また、間仕切装置１においては、パネル基材４は、その側端部を構成する一対の縦枠４７，４７と、一対の縦枠４７，４７の上下端部同士を連結する上下の横枠としての上枠４８Ｕと下枠４８Ｌとを備えている。縦枠４７の外側面に側端凹溝４２が形成されている。縦枠４７は、側端凹溝４２の底部４２ａに設けられた第１ねじ取付部４７ｃと、側端凹溝４２から遠ざかる方向へ第１ねじ取付部４７ｃとは離間して設けられた第２ねじ取付部４７ｄとを備えている。そして、第１ねじ取付部４７ｃと第２ねじ取付部４７ｄに上下方向からねじ込まれる第１ねじ６１と第２ねじ６２で縦枠４７と上枠４８Ｕ及び下枠４８Ｌとが連結される。
【００３９】
この実施形態によれば、側端凹溝４２の底部４２ａに第１ねじ取付部４７ｃを設けることで、縦枠４７のうち、側端凹溝４２への連結支柱３の嵌め込みを阻害しない位置で且つパネル基材４の側端部寄りの位置に第１ねじ取付部４７ｃを配置でき、縦枠４７の大型化を抑制しながら、第１ねじ取付部４７ｃと第２ねじ取付部４７ｄとの間の距離を確保して縦枠４７と上枠４８Ｕ及び下枠４８Ｌとの連結を強固にできる。
【００４０】
また、間仕切装置１は、側端凹溝４２の内部に取り付けられる係合突起部材５０が連結支柱３に設けられた係合穴３ａに係合することでパネル体２と連結支柱３とが連結される構成を有する。係合突起部材５０は、側端凹溝４２の底部４２ａに形成された上下方向に延びる係合突起部材取付溝４７ｅに嵌め込まれた状態でねじ止めされることで、回転不能に固着されている。
【００４１】
この実施形態によれば、部品点数が少ない簡単な構造で、係合突起部材５０を側端凹溝４２の底部４２ａに回転不能に取り付けることができるので、パネル体２と連結支柱３との確実な連結を確保しながら、間仕切装置１の製造コストを低減できる。
【００４２】
以上、実施形態を説明したが、本発明は、前述の実施形態に限らず、様々な態様に具体化できる。各部の構成は図示の実施形態に限定されるものではなく、本発明の趣旨を逸脱しない範囲で種々変更が可能である。
【００４３】
例えば、張地８の外周端部８ｂが、側端凹溝４２の内側に巻き込まれて、側端凹溝４２の底部４２ａの幅方向端部に設けられた張地収納部４７ｂに収納される構成は、いわゆるローパーティションに限らず、様々な高さのパーティションのパネル体に適用できる。
【符号の説明】
【００４４】
１  間仕切装置
２  パネル体
３  連結支柱（連結部材）
３ａ  係合穴
４  パネル基材
８  基材張地（張地）
８ｂ  側端外周端部（外周端部）
４２  側端凹溝
４２ａ  底部
４７  縦枠
４７ａ  連結部材当接部
４７ｂ  張地収納部
４７ｃ  第１ねじ取付部
４７ｄ  第２ねじ取付部
４７ｅ  係合突起部材取付溝
４７ｇ  ねじ取付穴
４８Ｌ  下枠（横枠）
４８Ｕ  上枠（横枠）
５０  係合突起部材
６１  第１ねじ
６２  第２ねじ
６３  突起部材固定用ねじ
【図１】
2020041339.tif 000003
【図２】
2020041339.tif 000004
【図３】
2020041339.tif 000005
【図４】
2020041339.tif 000006
【図５】
2020041339.tif 000007
【図６】
2020041339.tif 000008